(57)【特許請求の範囲】
【請求項１】
マルチキャリア信号の計測学的分析の手段において、復調によって取得されるＩ及び／またはＱ成分は複数の値について統合（ｉｎｔｅｇｒａｔｅｄ  ｏｖｅｒ）され、マルチキャリア信号の個々のキャリアまたは組み合わされたキャリア群に対して、ディスプレイ装置のスクリーン上に図式的に表示され、前記個々のキャリアまたはキャリア群は、ダイアグラムの水平軸上に次々とプロットされ、これらのキャリアまたはキャリア群に結びつけられたＩ及び／またはＱ成分は、それぞれの場合において垂直線に沿ってプロットされるようにしたことを特徴とするマルチキャリア信号の計測学的分析の手段。
【請求項２】
個々のキャリアまたはキャリア群に結びつけられたＩ及びＱ成分は、全てのキャリアに対するＩ及びＱ成分がダイアグラムの水平線において生じるようにして単一の垂直軸に射影され、不完全なＩまたはＱ値が垂直線として表れるかＩ／Ｑ値の完全な欠落が水平線において空白として表れるようにしたことを特徴とする請求項１記載の計測学的分析の手段。
【請求項３】
マルチキャリアシステムにより占有される全ての周波数帯域の一部のみがスクリーン上に表示されることを特徴とする請求項１または２に記載の計測学的分析の手段
【請求項４】
個々のキャリアのコンプレックスデモディレーションにより取得される個々のシンボルのＩ及びＱ値の統合及び線射影は、マトリックスメモリーにおいて実行され、前記マトリックスメモリーは一方の次元においては符号化のために用いられるＩ及びＱ値と同数の列アドレスを有し、他方の次元においては個々のキャリアまたは隣接するキャリアから組み合わせられた個々のキャリア群と同数の行アドレスを有し、それぞれのキャリアまたはキャリア群に対し連続的に、保持値は、それぞれのＩ及びＱ値に対応し、関連づけられた行アドレスの列アドレスにそれぞれの場合に入れられ、続いて予め定められたシンボル数の分析がなされ、マトリックスメモリーの内容は、ディスプレイ装置上の図式的表示のためにそれぞれの行アドレスに対して読み出されることを特徴とする請求項１乃至３に記載の計測学的分析の手段。
【請求項５】
マトリックスメモリーの読み出しに続いて、マトリックスメモリーの全てのアドレスの内容から１を減ずることを特徴とする請求項４に記載の計測学的分析の手段
【発明の詳細な説明】
【０００１】
（技術分野）
本発明は主請求項の前提項に従うマルチキャリア信号の計測学的分析の方法に関連するものである。
【０００２】
（背景技術）
計測学的分析のために最近の通信技術、例えば、ＤＡＢ（デジタル音声放送）及びＤＶＢ−Ｔ（デジタルビデオ放送、地上の）に使用されているＯＦＤＭ（直交周波数分割多重）マルチキャリアシステムにおいては、使用者がシステム障害を一目で検出することができるように図式的に表示することが望ましい。ベクトル図（Ｉ／Ｑ平面）における振幅及び／または位相間で組み合わせられたシフトキーイングによりディスプレー装置のスクリーン上に単一キャリアのデジタル変調を図式的に表示することが知られている（ドイツ特許公開公報第１９５４７８９６号）が、単一のキャリア用に設けられたこの設備は、例えば、ＤＡＢの場合には１５３６個の個々のキャリア、また、ＤＶＢの場合には１７０５個若しくは６８１７個の個々のキャリアを備えたマルチキャリアシステムには効果的ではない。何故なら、このような場合、信号の選択的評価を非常に複雑な方法でしか行なうことができないからである。
【０００３】
従って、本発明の目的は、計測学的分析のために各個々のキャリアに対するＯＦＤＭ信号のＩ／Ｑ成分を別々に図式的に表示することができる簡単な方法を示唆することである。
【０００４】
（発明の開示）
主請求項の前提項におけるマルチキャリア信号の計測学的分析の手段から始めると、この目的は、主請求項における特徴項、即ち、「復調によって取得されるＩ及び／またはＱ成分は複数の値について統合（ｉｎｔｅｇｒａｔｅｄ  ｏｖｅｒ）され、マルチキャリア信号の個々のキャリアまたは組み合わされたキャリア群に対して、ディスプレイ装置のスクリーン上に図式的に表示され、前記個々のキャリアまたはキャリア群は、ダイアグラムの水平軸上に次々とプロットされ、これらのキャリアまたはキャリア群に結びつけられたＩ及び／またはＱ成分は、それぞれの場合において垂直線に沿ってプロットされるようにしたこと」により達成される。効果的な更なる発展は、従属項に記述される。
【０００５】
本発明によれば、自由に選択可能な数のシンボルのＩ成分及び／またはＱ成分を個々にまたは一緒に得、次いで、これらの成分をマルチキャリアシステムの各個々のキャリアごとにディスプレイ装置のスクリーンに垂直線において図式的に表示する。このようにして、１つまたはそれ以上のキャリアによってこの種類のマルチキャリアシステムでは、観察者はいずれのシンボルも送信されているかどうかを直ぐに確認することができる。かくして、Ｉ／Ｑ値が無い場合、関連キャリアの代わりに空白が列に現れる。もし、妨害されたシンボル、或いは、シンボルの全くないノイズだけのものが１またはそれ以上のキャリアにおいて伝送されるのであれば、垂直の形で列に連続した線が表れる。使用者は周波数の関数としてＩ及びＱ成分の値域の利用の単純な図式の全体像を得ることができる。そして、使用者はこのようにして計測学的に先に述べたＯＦＤＭマルチキャリアシステムを単純な方法で分析することができる。
【０００６】
次に、本発明を、概要図を参考にして１６ＱＡＭ変調の８ｋモードにおけるマルチキャリア信号のための実施例の形態で詳細に説明する。
【０００７】
図１は、１６ＱＡＭ変調に対するコンスタレーションダイアグラムを示すものである。図２に示すように演算処理装置において２次元ダイアグラムの全てのこれらの個々の変調点は縦座標ｙに射影される。これはマルチキャリアシステム上の全ての個々のキャリアに対して実行される。図３によれば、垂直軸に射影される関係するＩ及びＱ成分は、それぞれのキャリアに対して個々にスクリーン上に表示される。それぞれのキャリアに対するＩ／Ｑ値を表す重なり合った点は、スクリーン上に整列して水平方向に表れる。もし、１つのキャリアにシンボルが全く伝送されないのであれば、測定点の欠落による図３におけるキャリアｘに示されるように、空白の形でこれが関連キャリアの代わりに表示される。もし、変調点の１つが誤りのために妨害されるとすれば、図１の値の場所Ｗによって表されるように、これは関連するキャリアに対する決定領域を横断する垂直線Ｓの形で表示される。もし、キャリアの１つを通してノイズだけが伝送されると、これは図３のダイアグラムにおける連続した垂直線によって表示される。このように使用者は、ＯＦＤＭマルチキャリアシステムの動作のふるまい方の計測学的分析の可能性を有するものである。
【０００８】
図３のダイアグラムの横座標は、合計６８１７のキャリアを備えたＤＶＢ−Ｔの場合における０から６８１６（８ｋモード）のマルチキャリアシステムの個々のキャリアの数ｋが目盛られている。多くの場合、このように非常に多数のキャリアはディスプレイ装置のスクリーン上に適切な解像度で表示されることができない。スクリーンは一般的に、例えば、水平方向において３２０列に亘る表示しか実際には許されていない。これらの場合において、全体のキャリアスペクトルが個々の領域に分割され、それぞれの場合における個々の領域だけがスクリーン上に表示されること、或いは、多くの合成されたキャリアのデータが群を形成するように組み合わせられ、そして、この群のデータがスクリーン上の列において表示されることは都合がよい。
【０００９】
好適な実施例によれば、もし、全てのＩ及びＱ成分が、それぞれの場合に共通線ｙに射影されるとすると、測定された妨害がＩまたはＱ値、或いは、これら２つの値の組み合わせのいずれかに起因するか否かを見つけることができない。それ故に、それぞれのキャリアに対して付加的に全ての統合されたＩ成分のみ、全ての統合されたＱ成分のみ、または全ての組み合わせられたＩＱ成分のいずれかを表示されることができる切り替え装置を設けることが効果的である。それぞれの場合に、別の付加はＩ及びＱ成分を近くに隣接する垂直線に分離して射影することから構成され、これらもまた、図３によるダイアグラムにおいてそれぞれのキャリアに対して分離して表示され、これは、例えば１００キャリア程度から構成されるマルチキャリアシステムに対して効果的で可能なものである。Ｉ成分は、このように例えば、図２において破線として示される線ｙ’に射影される、一方、Ｑ成分はすぐ隣の垂直線ｙに射影される。
【００１０】
図４は、ＯＦＤＭ信号における単一シンボルに対して個々のキャリアのＩ及びＱ値の統合及び線射影の好適な実施例を図式的に示すものである。この目的のために、２次元の配列（マトリックスメモリー）が使われる。この１つの次元は、ＯＦＤＭ信号の０．．．Ｋｍａｘの個々のキャリアに対応するか、或いは、メモリー空間を節約するためにｋ１乃至ｋ２の隣接する個々のキャリアの組み合わせにより形成されたキャリア群ｇに対応する。マトリックスメモリーのこの次元に対するメモリーセルの数は、例えば、３２０というように、使用されるディスプレイの列の数によって決定される。
【００１１】
他のマトリックスメモリーの次元は、Ｉ及びＱ値に対して確保される。ここでは、別個のメモリーセルは使用される変調タイプの状態ダイアグラムの範囲内でのＩ及びＱのそれぞれの可能性のある状態に対して設けられる。このようにＩ及びＱ値の８ビットの符号化の場合においては、２８＝２５６個のメモリーセルがマトリックスメモリーのこの次元に対して設けられる。関係のあるＩ及びＱ値は個々のキャリアのコンプレックスデモデュレーションにより形成される。１つのシンボルは時刻ｔにおける全てのキャリアの全体量によって決定づけられるので、それらは、ＯＦＤＭ信号の範囲内で、常に単一のキャリアｋ及び単一のシンボルに関連する。
【００１２】
ＩＱ値の復調は、例えば、２５６列アドレス及び３２０行アドレスから構成されるマトリックスメモリーに入る。
【００１３】
最初に、マトリックスメモリーはゼロに初期化される。
【００１４】
現在のシンボルの範囲において次のステップが実行される。
（ステップ１）
第１のキャリアｋ０に対して、関連づけられたＩ及びＱ値であるＩ０及びＱ０が決定され、予め定められた１つの保持値、例えば、１０という値が、Ｉ０成分によりアドレスされたメモリーセルの中に入れられる。この保持値は、ディスプレイにおいて画素が見ることができる時間の長さを決定する。それからこの保持値は、Ｑ０成分に対応する列アドレスに同様に入れられる。
（ステップ２）
それからステップ１は、次のキャリアに対して繰り返される。そして、関係のある行アドレスｋ１において、対応する保持値は、キャリアｋ１の関連づけられたＩ１及びＱ１値に対応する列アドレスに再び入れられる。
（ステップ３）
ステップ１及び２は、使用者によりその限界を任意に選択することができる選択した期間において全てのキャリアが分析されるまで、または、シンボル全体が分析されるまで繰り返される。
（ステップ４）
このようにして予め定められた調節自在のシンボルの数は、メモリーに入力される。そして、予め定められた取得時間の経過後、マトリックスメモリーの個々の行は図式的に表示するために読み出される。ディスプレイ装置への入力はメモリーの全成分の内容を要求することにより行われる。もし、その内容が０と異なっているのであれば、対応する画素がセットされ、このメモリーセルの内容から１が減じられる。
【００１５】
関連するメモリーセルにおける対応する列アドレス下での保持値の入力は、新しいＩ及びＱ値がそれぞれの周期においていつも進められるので、スクリーン表示が継続的に更新されるという有利性を有する。もし、単一のＩ／Ｑ値が更新周期の任意の数にわたりスクリーン上に静的に残るとしても、このようにスクリーンは直接的な応答性を有する。もし、図に例示するように保持値１０が選択されると、このとき手順ステップ４がメモリーセルの内容がゼロになるまで１０回繰り返される。かくして、このＩ／Ｑ値は過去１０回の更新周期において生じないことが示される。
【００１６】
個々のキャリアがキャリア群を形成するように組み合わされた場合において、上述の手順が、１つの群の全キャリアが分析されるまで、１つの群の全キャリアに対して繰り返される。それから、メモリーは次のキャリア群のためにアドレスされる。
【図面の簡単な説明】
【図１】  １６ＱＡＭ変調に対するコンスタレーションダイアグラム
【図２】  ２次元ダイアグラムの全ての個々の変調点を縦座標ｙに射影した図
【図３】  垂直軸に射影される関係するＩ及びＱ成分を、それぞれのキャリアに対して個々にスクリーン上に表示した図
【図４】  ＯＦＤＭ信号における単一シンボルに対して個々のキャリアのＩ及びＱ値の統合及び線射影の好適な実施例を図式的に示した図
【図１】
0004278077.tif 000002
【図２】
0004278077.tif 000003
【図３】
0004278077.tif 000004
【図４】
0004278077.tif 000005